(57)【要約】      （修正有）【課題】鼻などの形に合わせて固定できる蓄熱/熱除去装置を提供する。【解決手段】袋体１０内に、蓄熱/熱除去素材２０を封入し、袋体両側辺に可撓性或いは可塑性物質３０を配置して封入する。第１〜３間隔線１４，１５等で内部を半仕切りとして、内部に封入した熱/熱除去素材の熱移動を抑制する。可撓性或いは可塑性物質は、鉄、スズ、鉛或いは銅などの金属の外側をプラスティックで被覆して形成し、また、これらの間隔線線に沿って曲げて鼻などの外形に合わせて変形する。【選択図】図４
0003144049.tif 000002
【実用新案登録請求の範囲】
【請求項１】
密閉空間を具有する袋体からなり
該空間内に蓄熱/熱除去素材を収納し、
該袋体の側辺に適用箇所の形状に合わせて変形可能な可撓性或いは可塑性物質を封入し、
該蓄熱/熱除去素材を封入した該袋体を使用者の顔などに固定できるようにしたことを特徴とする蓄熱/熱除去装置。
【請求項２】
前記蓄熱/熱除去素材は、液体であることを特徴とする請求項1記載の蓄熱/熱除去装置。
【請求項３】
前記袋体は、高分子材料で形成したことを特徴とする請求項1記載の蓄熱/熱除去装置。
【請求項４】
前記蓄熱/熱除去装置素材は、飽和酢酸ナトリウム水溶液であることを特徴とする請求項1記載の蓄熱/熱除去装置。
【請求項５】
前記袋体内に更に金属シートの起動器を設置したことを特徴とする請求項4記載の蓄熱/熱除去装置。
【請求項６】
前記袋体の比較的長い両辺に更に収納スペースを増設して該可撓性或いは可塑性物質を収納したことを特徴とする請求項1記載の蓄熱/熱除去装置。
【請求項７】
前記可撓性或いは可塑性物質の数量は二つに分けて、それぞれ該収納スペース中に設置し、また、該収納スペースは高周波加工方法で封止したことを特徴とする請求項6記載の蓄熱/熱除去装置。
【請求項８】
前記可撓性物質は、金属或いは金属の外側をプラスティックで被覆して形成し、該可塑性物質はプラスティックを用いたことを特徴とする請求項7記載の蓄熱/熱除去装置。
【請求項９】
前記金属は、鉄、スズ、鉛或いは銅、前記可塑性物質はプラスティックであることを特徴とする請求項8記載の蓄熱/熱除去装置。
【請求項１０】
前記袋体の縦方向に更に第一間隔線、第二間隔線及び第三間隔線を具有し、該第一間隔線は左側に左側へ斜めに、第二間隔線は真ん中真っ直ぐに、第三間隔線は右側に右側へ斜めに設置し、また、該第一間隔線、第二間隔線及び第三間隔線はいずれも該収納スペースと接続せず、人間の鼻柱の外形にそって配置したことを特徴とする請求項6記載の蓄熱/熱除去装置。
【請求項１１】
前記第一間隔線、第二間隔線及び第三間隔線は、高周波或いは熱溶着により形成したことを特徴とする請求項10記載の蓄熱/熱除去装置。
【考案の詳細な説明】
【技術分野】
【０００１】
本考案は、一種の蓄熱/熱除去装置であり、特に面ファスナーやベルトなどを使用しなくても、使用者の顔に当てて冷パック或いは温パックすることができる蓄熱/熱除去装置の構造に関する。
【背景技術】
【０００２】
蓄熱/熱除去装置は、暖を取るための保温或いは冷やすなどの保健用途がある。今まで多くの方法が取られていた。例えば従来の液体を加熱した後、次第に温度が降下する間に熱エネルギーを与える。また、温パックの袋体内に金属シートの起動器を設置することで、該起動器に内容物溶液を加熱することで、熱エネルギーが発生し、該加温から温度が降下する間の熱エネルギーを与える。
【０００３】
現在美しさを求める女性が顔の整形手術を行うことが多い。顔の整形手術は通常48時間冷やすことにより、止血及び腫れを取り、更にその後48時間温パックして消炎及び腫れを取ることが必要となっている。或いは、鼻アレルギーに対してアレルギー症状発生時に、通常温パックを行って症状を和らげる。
【０００４】
上述の用途の際に使用できる蓄熱/熱除去装置は通常面ファスナー或いはベルトを使用して該装置を使用者の顔或いは鼻にあてがう。このような方法は、使用上不便であるだけでなく、見た目もよくないため、上述の技術を改善する必要があった。
【特許文献１】特開２００８−１９７号公報
【特許文献２】特開２００６−３１６３９４号公報
【考案の開示】
【考案が解決しようとする課題】
【０００５】
前記従来構造の欠点を解決するため、本考案は面ファスナー或いはベルトを使用しなくても、使用者の顔にあてがって固定し、冷パック或いは温パックができ、繰り返して使用できる蓄熱/熱除去装置の構造を提供することを主な課題とする。
【課題を解決するための手段】
【０００６】
本考案は、前記課題を解決する蓄熱/熱除去装置の構造を提供するものである。密閉空間を具有し、後述の蓄熱/熱除去素材を収納できる袋体；蓄熱/熱除去素材は該袋体の内部に設置；及び少なくとも一つの可撓性或いは可塑性の物質を該袋体の少なくとも一辺に設置することで、適用箇所の形状に合わせて予め変形させてから該袋体を使用者の顔にホールドすることができる。
【考案の効果】
【０００７】
本考案は可撓性或いは可塑性物質を設けたことにより、適用箇所の形状に合わせて予め変形させることができ、面ファスナー或いはベルトを使用しなくても、使用者の顔に固定し、冷パック或いは温パックができる上、繰り返して使用することができる。
【考案を実施するための最良の形態】
【０００８】
本考案の蓄熱/熱除去装置の構造を明確に示すために図に沿って詳細な説明を行う。図1に示すのは本考案の最良の形態の蓄熱/熱除去装置の略図である。図2に示すのは、本考案の蓄熱/熱除去装置に起動器を具有する略図である。図3に示すのは、本考案の袋体の縦方向に具有する第一間隔線、第二間隔線及び第三間隔線の略図である。図4に示すのは本考案の蓄熱/熱除去装置を使用する際に彎曲する略図である。
【０００９】
本考案の蓄熱/熱除去装置1は、顔に温パック或いは冷パックを使用することができる。該装置に含まれるのは袋体10、蓄熱/熱除去素材20及び少なくとも一つの可撓性或いは可塑性物質30で組成している。
【００１０】
該袋体10の形状は必要に応じて方形或いは円形にすることができる。本実施例では方形で説明をするが、これによって限定されることはない。該袋体10は、蓄熱/熱除去装置20を収納する密閉空間11を具有する。該袋体10は高分子素材に限定することはない。また、該袋体10は透明がベストであるが、同じくこれに限定されることはない。基本的に繰り返し使用することを目的とするため、素材選び及び厚みなど、耐久性があり、延性と展性のある素材が良い。最後の仕上げに、該袋体10は高周波或いは其の他の同等手段を用いて、外周の縁を封止する。これは公知技術であるため、ここで詳しく述べない。
【００１１】
このほか、該袋体10の比較的長い両側の辺にそれぞれ収納スペース12、13を増設し、それぞれ可撓性或いは可塑性物質30を入れる。該収納スペース12，１3は高周波加工で封止するが、それに限定されることはない。
【００１２】
該蓄熱/熱除去素材20は、蓄熱及び熱除去ができる素材であり、それを該袋体10の中に収容する。該蓄熱/熱除去素材20は、加熱して該熱エネルギーを蓄積し、その後に熱エネルギーを除去する素材である。よって、単純に液体が加熱した後、次第に熱エネルギーを放出して温度が降下する。或いは冷蔵庫(図に未掲載)に入れて冷やすことができる。また、飽和酢酸ナトリウム水溶液及び其の他の蓄熱/熱除去素材を使用することもできる。これらは公知技術であるため、ここで詳しく述べない。
【００１３】
該可撓性或いは可塑性物質30を該袋体10の少なくとも一辺に設置する。本最良形態は両方に設置して説明するが、これによって限定されることはない。固定箇所の形状にあわせて彎曲、成形してから適用することにより該袋体10がより使用者の顔に固定しやすく、従来技術の蓄熱/熱除去装置のように面ファスナー或いはベルトで使用者の顔にホールドしてから冷パック或いは温パックをする必要がない。よって、本考案の蓄熱/熱除去装置1は確実に従来技術の欠点を改善することができる。
【００１４】
このほか、該可撓性或いは可塑性物質30は、金属或いは金属の外側をプラスティックで被覆して形成する。該可塑性物質はプラスティック(これに限定されない)、該金属は鉄、スズ、鉛或いは銅など(これに限定されない)を使用することができる。
【００１５】
図2に示すように、本考案の蓄熱/熱除去装置は更に起動器40を具有し、該袋体10の密閉空間11の中に設置する。該起動器40は、金属シート(これに限定されない)であり、力を加えて折るとマイクロ波が蓄熱/熱除去素材20を加熱し、温度が上昇して熱エネルギーを発した後に温度が降下する。
【００１６】
図3に示すように、本考案の袋体10の縦方向に更に第一間隔線14、第二間隔線15及び第三間隔線16を設ける。該第一間隔線14は左側に左側へ斜めに、第二間隔線15は真ん中真っ直ぐに、第三間隔線16は右側に右側へ斜めに設ける。該第一間隔線14、第二間隔線15及び第三間隔線16はいずれも該収納スペース12、13と接続しないため、第一間隔線１4及び第二間隔線15と、第二間隔線15及び第三間隔線16の間にそれぞれ半密閉空間(図に未掲載)を形成する。その目的は、該蓄熱/熱除去素材20が二つの半密閉空間に流入するスピードを遅らせることで、持続性を持たせる。また、該第一間隔線14、第二間隔線15及び第三間隔線16は人間の鼻柱の外形にそって形成するため、使用者が鼻柱に固定しやすい。
【００１７】
図4に示すように、本考案の蓄熱/熱除去装置を使用するとき、使用者は袋体10の両端にある可撓性或いは可塑性物質30を、鼻柱の外形に合致するよう彎曲して使用することにより、袋体10を鼻柱に密着させ、温パック或いは冷パックをする。使用後再び該可撓性或いは可塑性物質30を元の形状に戻してから冷蔵或いは加熱することで、繰り返して使用することができる。
【００１８】
本考案の蓄熱/熱除去装置は面ファスナー或いはベルトを使用しなくても、使用者の顔にホールドして冷パック或いは温パックを行うことができ、繰り返して使用できるメリットなどがある。
【００１９】
本考案の構想に基づく各種の変化や修正、応用及び形を変更するなど、同じ効果が生まれる場合は、全て本考案の権利範囲とする。
以上の実施例による本考案の目的や手段、効果などの詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２０】
【図１】本考案の最良形態の蓄熱/熱除去装置の略図である。
【図２】本考案の蓄熱/熱除去装置に起動器を設置する略図である。
【図３】本考案の袋体の縦方向に更に第一間隔線、第二間隔線及び第三間隔線を具有する略図である。
【図４】本考案の蓄熱/熱除去装置の使用時彎曲した形態の略図である。
【符号の説明】
【００２１】
1蓄熱/熱除去装置
10袋体
11密閉空間
12、13収納スペース
14  第一間隔線
15第二間隔線
16第三間隔線
20蓄熱/熱除去素材
30可撓性或いは可塑性物質
40  起動器
【図１】
0003144049.tif 000003
【図２】
0003144049.tif 000004
【図３】
0003144049.tif 000005
【図４】
0003144049.tif 000006